(57)【要約】【課題】棚板支持部材を上下反転させるだけで２種類の厚さの異なる棚板を装着することができる棚受装置を提供すること。【解決手段】水平の棚板押さえ片を有する壁面乃至ボードに取り付けられる取付基板と、棚板を受けるための水平片と垂直片から構成される棚板支持部材とから成り、取付基板を取付ネジによって壁面乃至ボードに締着固定する棚受装置において、棚板支持部材の水平片の位置を垂直片の上下の中央位置から変位させ、同棚板支持部材を上下反転させることにより厚さの異なる棚板を装着することができるようにしたことを特徴とする。【選択図】図１
2012192147.tif 000002
【特許請求の範囲】
【請求項１】
水平の棚板押さえ片を有する壁面乃至ボードに取り付けられる取付基板と、棚板を受けるための水平片と垂直片から構成される棚板支持部材とから成り、取付基部を取付ネジによって壁面乃至ボードに締着固定する棚受装置において、棚板支持部材の水平片の位置を垂直片の上下の中央位置から変位させ、同棚板支持部材を上下反転させることにより厚さの異なる棚板を装着することができるようにしたことを特徴とする棚受装置。
【請求項２】
請求項１記載の棚受装置において、取付基板の構造を、上下端部に溝を形成した構造とし、棚板支持部材の垂直片の上下端部を差し入れて装着し、同棚板支持部材を上下反転させることにより厚さの異なる棚板を装着することができるようにしたことを特徴とする請求項１記載の棚受装置。
【請求項３】
請求項１記載の棚受装置において、取付基板の構造を、上部端部に係合溝を形成した構造とし、棚板支持部材の垂直片の上下端部に形成された鉤部を前記係合溝に差し入れて装着し、同棚板支持部材を上下反転させることにより厚さの異なる棚板を装着することができるようにしたことを特徴とする請求項１記載の棚受装置。
【請求項４】
請求項１記載の棚受装置において、取付基板には棚板支持部材の荷重を分担するための凹溝を形成し、棚板支持部材には前記凹溝に嵌合する突条を形成したことを特徴とする請求項１記載の棚受装置。
【発明の詳細な説明】
【技術分野】
【０００１】  本発明は、棚板支持部材を上下反転させるだけで２種類の厚さの異なる棚板を装着することができる棚受装置に関するものである。
【背景技術】
【０００２】
【特許文献１】  アメリカ特許第８８３３２３号公報
【発明の開示】
【発明が解決しようとする課題】
【０００３】  従来から壁面に取り付けられ板厚に応じて棚板を挟着する間隔即ち挟着巾を調節することができる棚受装置としてアメリカ特許第８８３３２３号公報等に記載されるような棚受装置がある。【０００４】  然しながら、このような棚受装置にあっては、棚板の厚さに応じて任意に挟着巾を変えることができ、どのような棚板にも対応できるメリットはあるが、間隔調節のために長孔とネジによるスライド調節方法を採用しているので、震動等でネジが緩むと棚板及び同棚板に載置される物品の荷重によって挟着巾が拡がって物品が落下する危険性がある。【０００５】  本発明は、上記従来技術のように棚板の厚さに応じて任意に挟着巾を変えることはできないが、棚板支持部材の上下を反転させるという簡単な操作だけで強固に棚板が装着保持される薄型、厚型２種類の棚板に対応できる棚受装置を提供することにある。
【課題を解決するための手段】
【０００６】  本発明の棚受装置は、水平の棚板押さえ片を有する壁面乃至ボードに取り付けられる取付基板と、棚板を受けるための水平片と垂直片から構成される棚板支持部材とから成り、取付基板は取付ネジによって壁面乃至ボードに締着固定される棚受装置において、棚板支持部材の水平片の位置を垂直片の上下の中央位置から変位させ、同棚板支持部材を上下反転させることにより厚さの異なる棚板を装着することができるようにしたことを特徴とするものである。
【発明の作用】
【０００７】  本発明の棚受装置では、棚板支持部材の水平片の位置を垂直片の上下の中央位置から変位させてあるので、棚板支持部材を上下反転することによって取付基部の棚板押さえ片と棚板支持部材の間隔が２通り変えられ、厚さの異なる２種類の棚板を装着保持する。
【実施例】
【０００８】  図１は、本発明装置の原理を示す縦断側面図、図２は、本発明装置の薄型の棚板に対応できる状態の分解斜視図、図３は、壁面への同取付状態の縦断側面図、図４は、本発明装置の厚型の棚板に対応できる状態の分解斜視図、図５は、壁面への同取付状態の縦断側面図、図６は、他の実施例における本発明装置の薄型の棚板に対応できる状態の縦断側面図、図７は、他の実施例における本発明装置の厚型の棚板に対応できる状態の縦断側面図である。【０００９】  図において、１は、水平の棚板押さえ片１−１を有する壁面Ｗ乃至ボードに取り付けられる取付基板で、同基板の棚板押さえ片１−１側にネジ挿通孔１ａが形成され、後述の棚板支持部材の荷重を分担するための凹溝１ｂが形成されている。【００１０】  ２は、棚板Ｔを受けるための水平片２−１及び前記取付基板１に面接される垂直片２−２から構成される取付基板１と同幅の棚板支持部材で、垂直片２−２にも取付基板１に面接させたときにネジ挿通孔１ａと一致する個所にネジ挿通孔２ａが形成され、前記取付基板１の凹溝１ｂに嵌合する突条２ｂが形成され、水平片２−１には棚板Ｔの装着時に棚板Ｔを固定するためのネジが螺合するための螺孔２ｃが形成されている。【００１１】  棚板支持部材２の水平片２−１は、図１のようにその位置が垂直片２−２の上下の中央位置から変位しており、一方の間隔ｐと他方の間隔ｑとの変位比率を変えて棚板Ｔの厚さに対応させるようにしてある。【００１２】  図１の（ａ）の状態で図２、３に図示されるように凹溝１ｂに突条２ｂを嵌合するようにして取付基板１と棚板支持部材２をネジ挿通孔２ａ及びネジ挿通孔１ａにネジｍを挿通して壁面Ｗに取り付け、棚板押さえ片１−１と水平片２−１の間の隙間にガラス板のような棚板Ｔを差し入れ、螺孔２ｃにネジｎを螺合して棚板Ｔを締着固定して薄型の棚板Ｔが装着保持される。【００１３】  図１の（ａ）の状態の棚板支持部材２を上下反転させた図１の（ｂ）の状態で図４、５に図示されるように凹溝１ｂに突条２ｂを嵌合するようにして取付基板１と棚板支持部材２をネジ挿通孔２ａ及びネジ挿通孔１ａにネジｍを挿通して壁面Ｗに取り付け、棚板押さえ片１−１と水平片２−１の間の隙間に厚い木板のような棚板Ｔを差し入れ、螺孔２ｃに木ネジｎを通して棚板Ｔに締着固定して厚型の棚板Ｔが装着保持される。【００１４】  実施例では取付基板１に凹溝１ｂを、棚板支持部材２には突条２ｂをそれぞれ形成して荷重の分担を図ったが、凹溝１ｂを突状、突条２ｂを凹溝にしてもよい。【００１５】  また、図６．７のように取付基板１と棚板支持部材２とを２本のネジで固定するようにすれば、上記の凹溝や突状がなくても棚板や載置される物品の荷重に十分耐えられるので、凹溝や突状は必須要件ではない。【００１６】  更に、請求項２のように、取付基板１の構造を、図８のように上下端部に溝１−２，１−３を形成した構造とし、棚板支持部材２の垂直片２−２の上下端部を差し入れて装着するようにすれば、取付基板１を壁面Ｗにネジ止めするだけで棚板支持部材２は図９、図１０のように上下反転させて溝に嵌めるという簡単な作業だけで厚さの異なる２種類の棚板を装着保持することができるだけでなく、取付基板１を壁面に止めるためのネジを隠すことができて体裁の良い棚受装置を提供することができるものである。【００１７】  また、請求項３のように、取付基板１の構造を、図１１のように上部端部に係合溝１−４を形成した構造とし、棚板支持部材２の垂直片２−２の上下端部に形成された鉤部２−３、２−４を前記係合溝１−４に差し入れて装着するようにすれば、棚板支持部材２は係合溝１−４に引っ掛かった状態で止められ、請求項２の場合と同じく取付基板１を壁面Ｗにネジ止めするだけで棚板支持部材２は図１２、図１３のように上下反転させて溝に嵌めるという簡単な作業だけで厚さの異なる２種類の棚板を装着保持することができるだけでなく、取付基板１を壁面に止めるためのネジを隠すことができて体裁の良い棚受装置を提供することができるものである。
【発明の効果】
【００１８】  以上述べたように、本発明の棚受装置によれば、水平の棚板押さえ片を有する壁面乃至ボードに取り付けられる取付基板と、棚板を受けるための水平片と垂直片から構成される棚板支持部材とから成り、取付基板は取付ネジによって壁面乃至ボードに締着固定される棚受装置において、棚板支持部材の水平片の位置を垂直片の上下の中央位置から変位させ、同棚板支持部材を上下反転させることにより厚さの異なる棚板を装着することができるようにしたものであるから、
（１）棚板支持部材の上下を反転させるという簡単な操作だけで強固に棚板が装着保持され、薄型、厚型２種類の棚板に対応できる棚受装置を提供できる。
（２）棚板支持部材の水平片の取付基板の垂直片に対する上下中央位置からの変位比率を棚板の種類によって変えて製作することによってそれぞれ任意の異なった２種類の厚さの棚板に対応できる棚受装置が提供できる。
（３）取付基板の構造を、上下端部にそれぞれ溝を形成した構造とし、棚板支持部材の垂直片の上下端部を差し入れて装着するようにすれば、取付基板を壁面にネジ止めするだけで棚板支持部材は上下反転させて溝に嵌めるという簡単な作業だけで厚さの異なる２種類の棚板を装着保持することができるだけでなく、取付基板を壁面に止めるためのネジを隠すことができて体裁の良い棚受装置を提供することができる。
（４）取付基板の構造を、上部端部に係合溝を形成した構造とし、棚板支持部材の垂直片の上下端部に形成された鉤部を前記係合溝に差し入れて装着するようにすれば、棚板支持部材は係合溝に引っ掛かった状態で止められ、取付基板を壁面にネジ止めするだけで棚板支持部材は上下反転させて溝に嵌めるという簡単な作業だけで厚さの異なる２種類の棚板を装着保持することができるだけでなく、取付基板を壁面に止めるためのネジを隠すことができて体裁の良い棚受装置を提供することができるものである。
【図面の簡単な説明】
【００１９】
【図１】  本発明装置の原理を示す縦断側面図である。
【図２】  本発明装置の薄型の棚板に対応できる状態の分解斜視図である。
【図３】  壁面への同取付状態の縦断側面図である。
【図４】  本発明装置の厚型の棚板に対応できる状態の分解斜視図である。
【図５】  壁面への同取付状態の縦断側面図である。
【図６】  他の実施例における本発明装置の薄型の棚板に対応できる状態の縦断側面図である。
【図７】  他の実施例における本発明装置の厚型の棚板に対応できる状態の縦断側面図である。
【図８】  請求項２の本発明装置の装着状態を示す縦断説明図である。
【図９】  同装置の薄厚型の棚板に対応できる状態の縦断側面図である。
【図１０】  同装置の厚型の棚板に対応できる状態の縦断側面図である。
【図１１】  請求項３の本発明装置の装着状態を示す縦断説明図である。
【図１２】  同装置の薄厚型の棚板に対応できる状態の縦断側面図である。
【図１３】  同装置の厚型の棚板に対応できる状態の縦断側面図である。
【符号の説明】
【００２０】１      取付基板
２      棚板支持部材
【図１】
2012192147.tif 000003
【図２】
2012192147.tif 000004
【図３】
2012192147.tif 000005
【図４】
2012192147.tif 000006
【図５】
2012192147.tif 000007
【図６】
2012192147.tif 000008
【図７】
2012192147.tif 000009
【図８】
2012192147.tif 000010
【図９】
2012192147.tif 000011
【図１０】
2012192147.tif 000012
【図１１】
2012192147.tif 000013
【図１２】
2012192147.tif 000014
【図１３】
2012192147.tif 000015